(57)【要約】【課題】本発明では、電波通信できるリモコン装置を使用する場合にでも制御対象以外の照明器具が動作しにくい照明制御システムを提供することを目的とする。【解決手段】請求項１の発明は、電波通信機能を備えた照明器具１と；電波通信による信号を利用して前記照明器具に配設されたランプを点灯制御する照明制御装置と；前記無線通信機能を用いて前記照明器具と自己の位置との距離を測定し、制御対象の照明器具を設定するリモコン装置２と；を具備していることを特徴とする。【選択図】図１
2005285598.tif 000002
【特許請求の範囲】
【請求項１】
電波通信機能を備えた照明器具と；
電波通信による信号を利用して前記照明器具に配設されたランプを点灯制御する照明制御装置と；
前記無線通信機能を用いて前記照明器具と自己の位置との距離を測定し、制御対象の照明器具を設定するリモコン装置と；
を具備していることを特徴とする照明制御システム。
【請求項２】
リモコン装置は、計測された距離が所定距離内である場合に当該距離を有する照明器具を制御対象とすることを特徴とする請求項１記載の照明制御システム。
【請求項３】
リモコン装置は、当該リモコン装置が別の場所へ移動された場合に、移動先において新たに照明器具と自己との間の距離を測定して所定距離内であれば制御対象の照明器具とすることを特徴とする請求項１記載の照明制御システム。
【発明の詳細な説明】
【技術分野】
【０００１】
本発明は、電波通信による信号を利用した照明器具を有する照明制御システムに関する。
【背景技術】
【０００２】
従来、１台のリモコンに対して１台の照明器具を動作させることしかできず、１台のリモコンで広い空間における複数の照明器具を制御するには、個々の照明器具が設置されている方向にリモコンを向けて動作させなければならない。
【０００３】
これを避けるため、リモコンより送信される赤外線などの無線媒体の放射角度が、従来よりも広いもしくは無指向性の赤外線発光ダイオードを用いたものがある。この場合には、他の照明器具が誤動作する問題がある。
【０００４】
そこで、特許文献１の照明制御装置によると、照明器具２は、照明負荷１と、照明負荷１に高周波電力を供給する点灯回路４と、赤外線により送信される照明制御信号Ｓを受信する第１の信号受信部５と、第１の信号受信部５から入力される照明制御信号Ｓ１に基づいて点灯回路４を制御する制御部６と、第１の信号受信部５に接続された、照明制御信号Ｓ１を受信する第１の受光素子７とから構成される。
【０００５】
また、リモコン３は、照明負荷１の点灯及び消灯を制御する点灯操作部８と、点灯操作部８からの信号を赤外線に変換する第１の信号受信部９と、赤外線による照明制御信号Ｓ１を送信する第１の発光素子１０と、赤外線による照明制御信号Ｓ１の指向角度を選択する指向角度選択部１１と、指向角度選択部１１により選択された指向角度に基づいて赤外線発光ダイオード１０の向きを変更する発光素子可動部１２とから構成される。
【０００６】
また、リモコン３は、操作スイッチと、３つの赤外線発光ダイオードと、照明制御信号Ｓ１の指向角度を変更する為の切り換えスイッチと、切り換えスイッチの操作を受けて、両端の赤外線発光ダイオードの指向角度を制御するための指向角度制御手段とから構成される。
【０００７】
これによると、３つの赤外線発光ダイオードの指向角度を変化させて複数の照明器具をリモコン３により個別に制御することができるというものである。
【特許文献１】特開平８−８０６８号公報（第４頁、図１）
【発明の開示】
【発明が解決しようとする課題】
【０００８】
上述したような赤外線リモコン技術では、切り換えスイッチ２２の操作により制御対象を設定するが、赤外線通信を利用する以上は他の照明器具が誤動作する問題が残る。また、ある程度制御対象となる照明器具との間に遮蔽物が無いような空間でなければならないため、パーティションなど遮蔽物がある場合は、それを避けてリモコンを使用する必要がある。
【０００９】
また、リモコンと照明器具間の通信に赤外線ではなく電波による通信を利用すると、遮蔽物を気にせず制御することが可能であるが、電波の到達距離が長いため、予定外（制御対象以外）の照明器具まで制御されてしまう可能性がある。
【００１０】
これを避けるために、照明器具にあらかじめＩＤ番号を割り付けておき、そのリモコンに制御対象となる照明器具のＩＤ番号を割り付けておけば、所望の照明器具のみを制御することが可能である。しかし、リモコン毎に制御対象ＩＤ番号を設定しなければならないので手間がかかる上、ある程度決められた照明器具しか制御することができない。
【００１１】
本発明では、電波通信できるリモコン装置を使用する場合にでも制御対象以外の照明器具が動作しにくい照明制御システムを提供することを目的とする。
【課題を解決するための手段】
【００１２】
請求項１の発明は、電波通信機能を備えた照明器具と；電波通信による信号を利用して前記照明器具に配設されたランプを点灯制御する照明制御装置と；前記無線通信機能を用いて前記照明器具と自己の位置との距離を測定し、制御対象の照明器具を設定するリモコン装置と；を具備していることを特徴とする。
【００１３】
電波通信機能は、アンテナ、信号処理手段および距離計測手段等を含んで構成され、照明器具に配設されているが、設置場所はこれに限定されない。
【００１４】
リモコン装置には、上述したように電波通信機能が設けられており、リモコン装置と各照明器具との間の距離、各照明器具間距離、各照明器具のＩＤ番号などを保持している。
【００１５】
請求項２の発明は、請求項１記載の照明制御システムにおいて、リモコン装置は、計測された距離が所定距離内である場合に当該距離を有する照明器具を制御対象とすることを特徴とする。所定距離は、例えば５ｍ程度に設定しておけば、他の部屋の照明器具を制御対象に設定することはない。すなわち、リモコン装置と照明器具との距離により正確に制御対象の照明器具をリモコン装置に設定することができる。
【００１６】
請求項３の発明は、請求項１記載の照明制御システムにおいて、リモコン装置は、当該リモコン装置が別の場所へ移動された場合に、移動先において新たに照明器具と自己との間の距離を測定して所定距離内であれば制御対象の照明器具とすることを特徴とする。
【００１７】
リモコン装置が別の場所へ移動された場合には、移動した者がリモコン装置に対して制御対象の照明器具を再設定する処理をさせなければならないが、自動的に設定し直すことができるモジュールを使用してもよい。
【発明の効果】
【００１８】
請求項１および２の発明によると、照明器具のランプをリモコン装置の信号により制御する場合に制御対象の照明器具とリモコン装置の距離を計測することにより制御対象を特定することができ、制御対象外の照明器具の誤動作を低減できる。
【００１９】
請求項３の発明によると、リモコン装置が別の場所へ移動された場合にでも新たに照明器具と自己との間の距離を測定して制御対象の照明器具を設定することができる。
【発明を実施するための最良の形態】
【００２０】
以下、本発明の一実施の形態を示す照明制御システムについて図面を参照して説明する。図１は、本発明の一実施の形態を示す照明制御システムの構成図である。
【００２１】
図において、照明制御システムは、天井面に複数配置されている照明器具１とリモコン装置２により構成されている。前記照明器具１には、それぞれ電波通信機能を有する無線通信モジュール１ａが搭載されている。各無線通信モジュール１ａには無線通信で使用するＩＤ番号が割り振られている。
【００２２】
ここで、無線通信規格として各モジュール１ａ間の距離計測が可能な距離計測機能を使用する。距離計測機能は、お互いに通信すると同時に距離の計測を行うものであり、４台以上のモジュール１ａが存在すれば平面上の互いの相対位置を計測することが可能である。
【００２３】
各照明器具１およびリモコン装置２は、常時互いに通信を行い、自己（自分自身）から通信可能な範囲内にある照明器具１およびリモコン装置２への距離データを内部に保持する。これにより、リモコン装置２は、最も近い位置に設置されている照明器具１のＩＤ番号を取得することができる。
【００２４】
ここで、照明器具１がリモコン装置２により点灯制御される場合には、リモコン装置２は最も近い位置に設置されている照明器具１へ制御要求を発行し、点灯制御を行う。
【００２５】
なお、最も近い照明器具１が１台のみでは十分な照度を得られない可能性もあるので、リモコン装置２の点灯制御ボタン（図示しない。）を連続して押し続ければ、制御対象となる照明器具１から最も近い位置に設置されている照明器具１も同時に制御できるような機能を搭載することも可能である。また、リモコン装置２を別の場所へ移動した場合でも、移動先で新たに最も近い位置に設置されている照明器具１を検索して制御することが可能である。
【００２６】
この無線通信モジュール１ａを電気スタンド３や机上のパソコン（ＰＣ）４に搭載すれば、ＰＣ４から近隣の照明器具１や電気スタンド３を制御することも可能である。
【図面の簡単な説明】
【００２７】
【図１】本発明の一実施の形態を示す照明制御システムの構成図。
【図２】従来の照明制御システムの構成図。
【符号の説明】
【００２８】
１…照明器具、２…リモコン装置。
【図１】
2005285598.tif 000003
【図２】
2005285598.tif 000004